(57)【要約】【課題】  通信相手の発言を妨げることなく、互いの状況を把握する。【解決手段】  画像もしくは音声を示す報知データと、これら報知データを識別する報知データ識別子とが対応付けて記憶されている記憶手段と、通信相手の発言内容を表す発言内容データ又は前記報知データ識別子を受信する受信手段と、前記受信手段により前記発言内容データを再生する再生手段と、前記受信手段により受信された前記報知データ識別子に対応する前記報知データを前記記憶手段から読み出して報知を行う報知手段とを有する通信端末を提供する。【選択図】      図９
2005303844.tif 000002
【特許請求の範囲】
【請求項１】
画像もしくは音声を示す報知データと、これら報知データを識別する報知データ識別子とが対応付けて記憶されている記憶手段と、
通信相手の発言内容を表す発言内容データ又は前記報知データ識別子を受信する受信手段と、
前記受信手段により受信された前記発言内容データを再生する再生手段と、
前記受信手段により受信された前記報知データ識別子に対応する前記報知データを前記記憶手段から読み出して報知を行う報知手段と
を有する通信端末。
【請求項２】
前記報知データは画像を示しており、
前記受信手段は、前記報知データ識別子とともにその送信元である通信相手を識別する送信元識別子を受信し、
前記報知手段は、前記受信手段により受信された前記報知データ識別子に対応する前記報知データを前記記憶手段から読み出し、該報知データの示す画像を該送信元識別子の示す通信相手毎に固有の領域へ表示する
ことを特徴とする請求項１に記載の通信端末。
【請求項３】
前記報知データ識別子と、予め設定された状況を示す状況情報とが対応付けて記憶されているテーブルと、
ユーザが各種情報を入力する入力手段と、
前記入力手段から状況情報が入力されると前記テーブルを参照して対応する報知データ識別子を読み出し通信相手へ送信する送信手段と
を有することを特徴とする請求項１に記載の通信端末。
【請求項４】
複数の操作子の各々に固有の前記報知データ識別子が対応付けられている操作部と、
前記複数の操作子の何れかが操作された場合に、操作された操作子に対応付けられている前記報知データ識別子を送信する送信手段と
を有することを特徴とする請求項１に記載の通信端末。
【請求項５】
コンピュータ装置に、
画像もしくは音声を示す報知データを識別する報知データ識別子又は通信相手の発言内容を表す発言内容データを受信する受信機能と、
前記受信機能により受信された前記発言内容データを再生する再生機能と、
前記受信機能により受信された前記報知データ識別子に対応付けて該コンピュータ装置に記憶されている前記報知データを読み出して報知を行う報知機能と
を実現させるプログラム。
【発明の詳細な説明】
【技術分野】
【０００１】
通信相手の状況を報知する技術に関する。
【背景技術】
【０００２】
近年、携帯電話機やＰＨＳ（Personal Handyphone System：登録商標）などの移動通信端末の普及により、時間や場所を問わずに通信を行うことが可能になっている。しかしながら、その一方で、例えば、劇場や映画館などの公共の場所或いは会議室などの静粛を要する場所にいるため通話着信に応ずることができない場合など、自身の状況を通信相手に通知したい場合がある。このようなことを可能にする技術の一例としては、特許文献１に開示された技術が挙げられる。
特許文献１に開示された技術によれば、以下に述べるようにして、自身の状況が通信相手に通知される。すなわち、携帯電話機等の通信装置に予め複数の応答メッセージを録音させておくとともに、これら複数の応答メッセージのうちから１の応答メッセージを指定するための指定手段を設けておく。そして、上述したような静粛を要する場所で通話着信があった場合には、再生する応答メッセージを上記指定手段によって指定し、その応答メッセージを再生して送信する。
【０００３】
【特許文献１】特開平９−３２５７９５号公報
【発明の開示】
【発明が解決しようとする課題】
【０００４】
ところで、静粛を要する場所にいるために応答できない場合の他にも、通信相手に自身の状況を通知したい場合がある。例えば、電子会議などに参加している場合に、周囲の騒音などにより発言者の声を聞き取りにくい場合などである。このような場合では、発声を制限されている訳ではないから、例えば「周囲の騒音が大きくて聞き取りにくいので、もっと大きな声で発言してください」と応答し自身の状況を通知することも考えられる。しかしながら、このような応答をすることによって他者の発言を妨げてしまったり、その他者に失礼な印象を与えてしまったりする虞があり、好ましくない。
本発明は上記課題に鑑みて為されたものであり、通信相手の発言を妨げることなく、互いの状況を把握することを可能にする技術を提供することを目的としている。
【課題を解決するための手段】
【０００５】
上記課題を解決するために、本発明は、画像もしくは音声を示す報知データと、これら報知データを識別する報知データ識別子とが対応付けて記憶されている記憶手段と、通信相手の発言内容を表す発言内容データ又は前記報知データ識別子を受信する受信手段と、前記受信手段により受信された前記発言内容データを再生する再生手段と、前記受信手段により受信された前記報知データ識別子に対応する前記報知データを前記記憶手段から読み出して報知を行う報知手段とを有する通信端末を提供する。
【０００６】
また、上記課題を解決するために、本発明は、コンピュータ装置に、画像もしくは音声を示す報知データを識別する報知データ識別子又は通信相手の発言内容を表す発言内容データを受信する受信機能と、前記受信機能により受信された前記発言内容データを再生する再生機能と、前記受信機能により受信された前記報知データ識別子に対応付けて該コンピュータ装置に記憶されている前記報知データを読み出して報知を行う報知機能とを実現させるプログラムを提供する。
【０００７】
このような通信端末およびプログラムによれば、上記発言内容データが受信された場合には、その発言内容データの表す発言内容が再生され、上記報知データ識別子が受信された場合には、その報知データ識別子に対応する報知データに応じた報知が行われる。
【発明の効果】
【０００８】
本発明によれば、通信相手の発言を妨げることなく、互いの状況を把握することが可能になる。
【発明を実施するための最良の形態】
【０００９】
以下、本発明を実施するための最良の形態について図面を参照しつつ説明する。
［Ａ．構成］
（Ａ−１：システム構成）
図１は、本発明の１実施形態に係る電子会議システムの構成例を示す図である。図１の通信網１０は、例えばインターネットであり、所定の通信プロトコル（例えば、ＩＰ：Internet Protocol）に準拠した通信を仲介するためのものである。この通信網１０には、管理装置２０と、通信端末３０Ａ、３０Ｂおよび３０Ｃとが接続されている。この管理装置２０、通信端末３０Ａ、３０Ｂおよび３０Ｃの各々には、それぞれ固有の通信アドレス（例えば、ＩＰアドレス）が予め割り当てられている。なお、図１には、３台の通信端末が例示されているが、本電子会議システムに含まれる通信端末の数が３に限定されるものではないことは言うまでもない。また、以下では、通信端末３０Ａ、３０Ｂおよび３０Ｃの各々を区別する必要がない場合には、単に「通信端末３０」と表記する。
【００１０】
管理装置２０は、通信端末３０のユーザに電子会議サービスを提供するためのものである。より詳細に説明すると、管理装置２０は、上記電子会議サービスの提供を受けているユーザの利用している通信端末に割り当てられている通信アドレスを記憶しており、各通信端末から送信されてきたデータを他の通信端末へ転送することができる。なお、管理装置２０は、受信したデータの転送先が複数ある場合には、その数分だけそのデータをコピーして転送する。例えば、通信端末３０Ａ、３０Ｂおよび３０Ｃのユーザが上記電子会議サービスの提供を受けている状況下で、図２に示されているように、通信端末３０Ａから送信されたデータを受信した場合には、管理装置２０は、そのデータのコピーを２つ生成し、その各々を通信端末３０Ｂおよび３０Ｃへ送信する。
【００１１】
通信端末３０は、自端末を利用して発言しているユーザの音声を集音し、その音声に対応する音声データである発言内容データを管理装置２０へ送信する一方、管理装置２０から送信されてくる発言内容データを受信しその発言内容データに応じた音声を再生する機能を備えている。更に、この通信端末３０は、自端末を利用しているユーザの状況を管理装置２０を介して他のユーザへ通知する機能と、管理装置２０から通知された他のユーザの状況を報知する機能とを備えている。
【００１２】
より詳細に説明すると、通信端末３０には、図３に示す表現管理テーブルが格納されている。この表現管理テーブルには、通信相手の状況を報知する際に用いる報知データ（本実施形態では、画像データ）に対応付けて、その報知データを識別する報知データ識別子と、その報知データ識別子を管理装置２０へ送信する処理を通信端末３０に実行させるための操作子を表すデータ（例えば、その操作子のキーコード）と、が格納されている。例えば、図３に例示されている表現管理テーブルには、画像データ００１に対応付けて報知データ識別子“００１”とキーコード“０ｘ３１”とが格納されており、画像データ００２に対応付けて報知データ識別子“００２”とキーコード“０ｘ３２”とが格納されている。なお、キーコードが“０ｘ３１”である操作子は、数字“１”を入力するためのテンキー（以下、「テンキー１」）であり、キーコードが“０ｘ３２”である操作子は、数字“２”を入力するためのテンキー（以下、「テンキー２」）である。通信端末３０では、テンキー１が押下されると、このテンキー１のキーコードに対応付けて表現管理テーブルに格納されている報知データ識別子“００１”が管理装置２０へ送信され、テンキー２が押下されると、このテンキー２のキーコードに対応付けて表現管理テーブルに格納されている報知データ識別子“００２”が管理装置２０へ送信される。
【００１３】
図１に示す電子会議システムにおいては、画像データ００１に対応する画像は、図４（ａ）に示すアイコンであり、「通信相手が発言を良好に聞き取っている状況であること」を表している。また、画像データ００２に対応する画像は、図４（ｂ）に示すアイコンであり、「通信相手が周囲の騒音のために発言を聞き取りにくい状況であること」を表している。図１に示す電子会議システムでは、通信相手の発言を聞き取り難い状況にあるユーザは、以下に述べるようにして自身の状況を他のユーザへ通知することができる。すなわち、上記状況にあるユーザは、通信端末３０にて上記テンキー２を押下し、上記報知データ識別子“００２”を管理装置２０へ送信させる。この報知データ識別子“００２”を受信した管理装置２０は、この報知データ識別子“００２”をコピーし他のユーザが利用している通信端末３０へ送信する。そして、上記他のユーザが利用している通信端末３０は、管理装置２０から送信された報知データ識別子“００２”を受信すると、その報知データ識別子に対応付けて上記表現管理テーブルに格納されている報知データ（すなわち、画像データ００２）を読み出してその報知データに応じた報知を行う。その結果、上記他のユーザが利用している通信端末には、図４（ｂ）に示すアイコンが表示される。このように、本実施形態では、アイコンを用いて通信相手の状況を報知するため、その報知により発言を妨げられることはない。以下、本実施形態に係る電子会議システムの特徴を顕著に示している通信端末３０を中心に説明する。
【００１４】
（Ａ−２：通信端末３０の構成）
図５は、通信端末３０のハードウェア構成の一例を示す図である。図５に示されているように、通信端末３０は、制御部１００と、通信インターフェイス（以下、「ＩＦ」）部１１０と、表示部１２０と、音声入出力部１３０、操作部１４０と、記憶部１５０と、これら構成要素間のデータ授受を仲介するバス１６０とを有している。
【００１５】
制御部１００は、例えば、ＣＰＵ（Central Processing Unit）であり、通信端末３０の各部を制御するためのものである。通信ＩＦ部１１０は、通信網１０に接続されており、通信網１０から送信されてくるデータを受信し制御部１００へ引渡す一方、制御部１００から引渡されたデータを通信網１０へ送出するものである。表示部１２０は、例えば液晶ディスプレイとその駆動回路であり、制御部１００から引渡された画像データに応じた画像を表示するものである。音声入出力部１３０は、詳細な図示は省略したが、マイクロホンやスピーカ、音声ＣＯＤＥＣなどを含んでおり、上記マイクロホンによって集音した音声に対応する音声データを制御部１００へ引渡す一方、制御部１００から引渡された音声データに応じた音声を出力するものである。より詳細に説明すると、音声入出力部１３０は、マイクロホンによって集音した音声に対応する音声信号を音声ＣＯＤＥＣで符号化して音声データに変換し制御部１００へ引渡す一方、制御部１００から引渡された音声データを上記音声ＣＯＤＥＣによって音声信号へ変換しその音声信号に応じた音声をスピーカに放音させる。そして、操作部１４０は、テンキーやカーソルキーなどの操作子を備えており、これら操作子の操作内容に応じたデータ（例えば、ユーザが操作した操作子のキーコード）を制御部１００へ引渡すものである。
【００１６】
記憶部１５０は、図５に示されているように、揮発性記憶部１５０ａと不揮発性記憶部１５０ｂとを含んでいる。揮発性記憶部１５０ａは、例えばＲＡＭ（Random Access Memory）であり、後述する各種ソフトウェアにしたがって作動している制御部１００によってワークエリアとして利用される。不揮発性記憶部１５０ｂは、例えばハードディスクであり、前述した表現管理テーブル（図３参照）や自端末に割り当てられている通信アドレスを格納している。また、この不揮発性記憶部１５０ｂには、オペレーティングシステム（Operating System：以下、ＯＳ）を制御部１００に実現させるためのＯＳソフトウェアや、前述した発言内容データや前述した報知データ識別子を送受信するための通信ソフトウェアが格納されている。以下では、これらソフトウェアを実行することにより制御部１００に付与される機能について説明する。
【００１７】
通信端末３０の電源（図示省略）が投入されると、制御部１００は即座にＯＳソフトウェアを不揮発性記憶部１５０ｂから読み出し実行する。ＯＳソフトウェアにしたがって作動している制御部１００には、通信端末３０の各部を制御する機能、ユーザの指示に応じて上記通信ソフトウェアを不揮発性記憶部１５０ｂから読み出し実行する機能が付与される。この通信ソフトウェアにしたがって作動している制御部１００には、以下に述べる５つの機能が付与される。
【００１８】
第１に、音声入出力部１３０から引渡された発言内容データを通信ＩＦ部１１０を介して管理装置２０へ送信する発言内容データ送信機能である。第２に、ユーザが操作した操作子のキーコードに対応付けて表現管理テーブル（図３参照）に格納されている報知データ識別子と自端末に割り当てられている通信アドレスとを通信ＩＦ部１１０を介して管理装置２０へ送信する報知データ識別子送信機能である。本実施形態では、報知データ識別子とともに送信される通信アドレスはその報知データ識別子の送信元を識別するための送信元識別子として用いられる。
【００１９】
第３に、管理装置２０から送信されてくる発言内容データや、報知データ識別子と上記送信元識別子との組を通信ＩＦ部１１０を介して受信する受信機能である。第４に、上記受信機能により受信した発言内容データを音声入出力部１３０へ引渡しその発言内容データに応じた音声を再生する再生機能である。そして、第５に、上記受信機能により受信した報知データ識別子に対応付けて表現管理テーブルに格納されている報知データを読み出してその報知データに応じた報知を行う報知機能である。なお、本実施形態では、上記報知データは画像データであるため、その報知データに対応する画像を表示部１２０に表示させることにより上記報知が行われる。本実施形態では、報知データ識別子の送信元である通信相手毎にその通信相手の状況を表すアイコンが表示部１２０の固有の領域に表示される。例えば、通信端末３０Ａにおいては、図６に示されているように、通信端末３０Ｂのユーザの状況を表すアイコンについては領域６１０に表示され、通信端末３０Ｃのユーザの状況を表すアイコンについては領域６２０に表示される。
【００２０】
以上に説明したように、本実施形態では、本発明に係る通信端末に特徴的な機能をソフトウェアモジュールで実現する場合について説明したが、これらソフトウェアモジュールと同一の機能を担っているハードウェアモジュールで通信端末３０を構成しても良いことは勿論である。
【００２１】
［Ｂ．動作］
次いで、通信端末３０が行う動作のうち、本発明に係る通信端末の特徴を顕著に示している動作について図面を参照しつつ説明する。なお、以下に説明する動作例では、通信端末３０Ａ、３０Ｂおよび３０Ｃの各々の制御部１００は上記通信ソフトウェアにしたがって作動しているものとする。そして、通信端末３０Ａのユーザ（以下、ユーザＡ）が発言を開始し、その時点では、初期状態として、「発言を良好に聞き取っている状況である」こを表すアイコン（図４（ａ）参照）が各ユーザ毎に表示されているものとする。例えば、通信端末３０Ａの表示部１２０には、図６に示す画像が表示されているものとする。
【００２２】
通信端末３０Ａの制御部１００は、ユーザＡの発言内容に対応する発言内容データを音声入出力部１３０から引渡されると、この発言内容データを通信ＩＦ部１１０を介して管理装置２０へ送信する。このようにして送信された発言内容データは前述した通信網１０を介して管理装置２０へ到達する。管理装置２０は、受信した発言内容データのコピーを２つ生成し、その２つの発言内容データを通信端末３０Ｂおよび３０Ｃへ送信する（図２参照）。以下、管理装置２０から送信された発言内容データを受信した場合に、通信端末３０Ｂおよび３０Ｃが行う動作について図７を参照しつつ説明する。
【００２３】
図７は、通信端末３０の制御部１００が行う再生動作の流れを示すフローチャートである。図７に示されているように、制御部１００は、通信ＩＦ部１１０を介して発言内容データを受信（ステップＳＡ１）すると、その発言内容データを音声入出力部１３０へ引渡し、その発言内容データに応じた音声を再生する（ステップＳＡ２）。これにより、通信端末３０Ｂのユーザ（以下、ユーザＢ）および通信端末３０Ｃのユーザ（以下、ユーザＣ）は、ユーザＡの発言内容を聞くことができる。本動作例では、ユーザＢは、通信端末３０Ｂから出力される音声を聞き取り難い状況にあり、その旨を通知するために通信端末３０Ｂの操作部１４０のテンキー２を押下するものとする。以下では、このような操作が為された場合に、通信端末３０Ｂの制御部１００が行う動作について図８を参照しつつ説明する。
【００２４】
図８は、通信端末３０の制御部１００が行う報知データ識別子送信動作の流れを示すフローチャートである。図８に示されているように、制御部１００は、ユーザの操作内容に対応する操作内容データを操作部１４０から取得し（ステップＳＢ１）、この操作内容データに対応付けて表現管理テーブル（図３参照）に格納されている報知データ識別子を読み出す（ステップＳＢ２）。本動作例では、ユーザＢはテンキー２を押下したのであるから、制御部１００は、上記ステップＳＢ１にてキーコード“０ｘ３２”を取得し、上記ステップＳＢ２にて報知データ識別子“００２”を読み出す。そして、制御部１００は、上記ステップＳＢ２で読み出した報知データ識別子と前述した送信元識別子（本実施形態では、通信端末３０Ｂの通信アドレス）との組を通信ＩＦ部１１０を介して管理装置２０へ送信する（ステップＳＢ３）。
【００２５】
管理装置２０は、通信端末３０Ｂから送信された報知データ識別子と送信元識別子との組を受信すると、これらのコピーを生成し通信端末３０Ａおよび３０Ｃへ送信する。この管理装置２０は、通信端末３０Ａから受信した発言内容データの送信も行っているので、通信端末３０Ａには上記報知データ識別子と送信元識別子との組が送信され、通信端末３０Ｂには上記発言内容データが送信され、通信端末３０Ｃには上記発言内容データと上記報知データ識別子および送信元識別子の組とが送信されることになる。上記発言内容データを受信した場合に通信端末３０Ｂや３０Ｃが行う動作については、前述した図７で説明した動作と同一であるため、説明を省略し、上記報知データ識別子と送信元識別子との組を受信した場合に通信端末３０Ａや３０Ｃの制御部１００が行う動作について図９を参照しつつ説明する。
【００２６】
図９は、通信端末３０の制御部１００が行う報知動作の流れを示すフローチャートである。図９に示されているように、制御部１００は、報知データ識別子と送信元識別子との組を通信ＩＦ部１１０を介して受信（ステップＳＣ１）すると、その報知データ識別子に対応付けて表現管理テーブル（図３参照）に格納されている報知データを読み出す（ステップＳＣ２）。本実施形態では、上記ステップＳＣ１にて報知データ識別子“００２”が受信されるから、上記ステップＳＣ２にて画像データ００２が読み出される。そして、制御部１００は、ステップＳＣ１にて受信した送信元識別子に対応する領域（すなわち、領域６１０）にステップＳＣ２にて読み出した報知データの示す画像（すなわち、図４（ｂ））を表示する（ステップＳＣ３）。その結果、通信端末３０Ａの表示部１２０には図１０に示す画像が表示される。この画像を視認したユーザＡは、ユーザＢが自身の発言を聞き取り難い状況にあることを把握することができる。そして、本実施形態によれば、上記状況が画像で報知されるため、ユーザＡの発言が妨げられることはない。
【００２７】
［Ｃ．変形］
以上、本発明の１実施形態について説明したが、係る実施形態に以下に述べるような変形を加えても良いことは勿論である。
（Ｃ−１：変形例１）
上述した実施形態では、通信端末３０Ａ、３０Ｂおよび３０Ｃの何れか１つから送信されたデータを管理装置２０にコピーさせて他の通信端末へ送信することによって電子会議を実現する場合について説明した。しかしながら、通信端末３０Ａ、３０Ｂおよび３０Ｃの各々が他の通信端末の数分のデータを送信する態様であれば、管理装置２０は不要である。このような場合には、通信網１０内でデータのコピーを行う必要がないからである。また、上述した実施形態では、報知データ識別子とともにその報知データ識別子の送信元を識別する送信元識別子を送信する場合について説明したが、例えば通信端末３０Ａと３０Ｂとが１対１で通信している場合などでは、送信元識別子を送信する必要がないことは言うまでもない。このような場合には、送信元識別子を用いなくても、報知データ識別子の送信元を識別することが可能であるからである。
【００２８】
（Ｃ−２：変形例２）
上述した実施形態では、通信端末３０Ａ、３０Ｂおよび３０Ｃの各々の不揮発性記憶部１５０ｂに表現管理テーブル（図３参照）が予め記憶されている場合について説明した。しかしながら、管理装置２０に上記表現管理テーブルを格納させておき、通信端末３０から電子会議への参加を要求された場合に、上記表現管理テーブルを通信端末３０へ送信するとしても勿論良い。このようにすると、上記電子会議の開始時点で、その電子会議に参加するユーザの利用する通信端末３０の各々に同一の表現管理テーブルが格納されることになる。なお、上述した実施形態では、通信端末３０Ａ、３０Ｂおよび３０Ｃの各々に記憶されている表現管理テーブルに同一の報知データを格納しておく場合について説明したが、各々異なる報知データを格納するようにしても勿論良い。報知データ識別子と報知データとの対応関係を各ユーザにカスタマイズさせることにより、そのユーザの好みに応じた態様で通信相手の状況を報知することが可能になる。更に、このようなカスタマイズを容易に行えるようにするため、表現管理テーブルに格納されている報知データをユーザの所望に応じて書換える書換え手段を通信端末３０に設けても良い。また、表現管理テーブルの格納内容をカスタマイズする場合には、報知データ識別子と報知データとの対応関係のカスタマイズのみならず、報知データ識別子とその報知データ識別子を管理装置２０へ送信するための操作子との対応関係をカスタマイズするようにしても勿論良い。
【００２９】
（Ｃ−３：変形例３）
上述した実施形態では、報知データ識別子毎に固有の操作子を対応付けておき、ユーザに押下された操作子に対応する報知データ識別子を通信端末３０に送信させる場合について説明した。しかしながら、報知データ識別子と予め設定された状況を示す状況情報（例えば、当該状況を表現する文字列など）とを対応付けて格納した状況管理テーブルを通信端末３０に記憶させておき、ユーザが操作部１４０を操作して上記状況情報が入力された場合に、その状況情報に対応付けて上記状況管理テーブルに格納されている報知データ識別子を通信端末３０に送信させるようにしても良い。
【００３０】
（Ｃ−４：変形例４）
上述した実施形態では、通信相手の状況に応じて形状の異なるアイコンを表示することによりその状況を報知する場合について説明した。しかしながら、通信相手の状況に応じてアイコンの表示色を変えるとしても良く、また、アイコンの大きさを変えるとしても良いことは勿論である。また、報知データ識別子に対応付けて表現管理テーブルに格納しておく報知データは、上記アイコンのような静止画に対応する画像データに限定されるものではなく、動画に対応する画像データであっても良く、また、音声データであっても良い。なお、報知データとして音声データを用いる場合には、前述した発言内容データに応じて再生される音声の妨げとならないように、音量を低く抑えたり再生時間を短くしたりしておくことが好ましい。
【００３１】
（Ｃ−５：変形例５）
上述した実施形態では、本発明に係る通信端末を電子会議システムに適用する場合について説明したが、本発明の適用対象は電子会議システムに限定されるものではない。本発明に係る通信端末の他の適用例としては、電子お見合いシステムが挙げられる。具体的には、上記通信端末を利用して通信しているユーザに、通信相手との会話を通じてその通信相手に抱いた好感度や興味の度合いに応じた報知データ識別子を送信させ、その好感度や興味の度合いを通信相手の通信端末に報知させるようにすれば良い。また、このような場合には、上記通信端末に、その通信端末を利用しているユーザの姿を撮像する撮像手段を設け、その撮像手段により撮像された画像に対応する画像データを通信相手の通信端末へ送信するようにしても良い。
【００３２】
（Ｃ−６：変形例６）
上述した実施形態では、本発明に係る通信端末に特有な機能を制御部１００に付与するための通信ソフトウェアを通信端末３０の不揮発性記憶部１５０ｂに予め記憶させておく場合について説明した。しかしながら、例えばＣＤ−ＲＯＭ（Compact Disk-Read Only Memory）などのコンピュータ装置読み取り可能な記録媒体に上記通信ソフトウェアを記録しておき、この記録媒体を用いて上記通信ソフトウェアを一般的なコンピュータ装置にインストールするとしても良いことは勿論である。
【図面の簡単な説明】
【００３３】
【図１】本発明の１実施形態に係る電子会議システムの構成例を示すブロック図である。
【図２】同電子会議システムにおける通信シーケンスの一例を示す図である。
【図３】同通信端末３０に記憶されている表現管理テーブルの一例を示す図である。
【図４】同通信端末３０に表示されるアイコンの一例を示す図である。
【図５】同通信端末３０の構成例を示すブロック図である。
【図６】同通信端末３０の表示部１２０に表示される画像の一例を示す図である。
【図７】同通信端末３０の制御部１００が行う再生動作の流れを示すフローチャートである。
【図８】同通信端末３０の制御部１００が行う報知データ識別子送信動作の流れを示すフローチャートである。
【図９】同通信端末３０の制御部１００が行う報知動作の流れを示すフローチャートである。
【図１０】同通信端末３０の表示部１２０に表示される画像の一例を示す図である。
【符号の説明】
【００３４】
１０…通信網、２０…管理装置、３０、３０Ａ、３０Ｂ、３０Ｃ…通信端末、１００…制御部、１１０…通信ＩＦ部、１２０…表示部、１３０…音声入出力部、１４０…操作部、１５０…記憶部、１５０ａ…揮発性記憶部、１５０ｂ…不揮発性記憶部、１６０…バス。
【図１】
2005303844.tif 000003
【図２】
2005303844.tif 000004
【図３】
2005303844.tif 000005
【図４】
2005303844.tif 000006
【図５】
2005303844.tif 000007
【図６】
2005303844.tif 000008
【図７】
2005303844.tif 000009
【図８】
2005303844.tif 000010
【図９】
2005303844.tif 000011
【図１０】
2005303844.tif 000012